(57)【要約】【課題】  例えば落下等による衝撃や振動等の外力作用時に横断面略楕円形状の棒状化粧料の支持片からの抜け及び棒状化粧料の折れを防止する。【解決手段】  対向する一対の支持片４ｂ，４ｂにより、横断面略楕円形状を成す棒状化粧料Ｍの後端部のその長軸側の外周面を把持すると共に、支持片４ｂ，４ｂの内周形状を、当該把持する棒状化粧料Ｍの長軸側の外周面に略合致する形状とすることで、把持部分の曲率を従来の短軸側を把持する場合の曲率に比して大きくし、棒状化粧料Ｍに対する案内性・拘束性を高め、棒状化粧料Ｍを支持片４ｂ，４ｂ同士の間に嵌挿する際に回り難くズレ難くして、棒状化粧料Ｍを支持片４ｂ，４ｂ同士の間にほぼ真っ直ぐに把持させ把持強度を安定して確保する。【選択図】  図４
2006192196.tif 000002
【特許請求の範囲】
【請求項１】
互いに対向して設けられて前方に突出する一対の支持片と、これらの支持片の後端部を支持する基部と、を有し、前記支持片同士の間に、横断面略楕円形状の棒状化粧料の後端部を把持する棒状化粧料支持体において、
前記支持片は、前記横断面略楕円形状の棒状化粧料のその短軸に係る外周面に比して曲率の大きい長軸に係る外周面を支持するものであり、
当該支持片の内周形状は、前記棒状化粧料の長軸に係る外周面に略合致する形状とされていることを特徴とする棒状化粧料支持体。
【請求項２】
前記支持片は、前記短軸方向において、前記支持片同士の間に把持される前記棒状化粧料の短軸位置の外形より内側に位置することを特徴とする請求項１記載の棒状化粧料支持体。
【請求項３】
前記基部には、その先端面の前記支持片同士の間の位置に、軸線方向に所定長へこむと共に両端が当該基部の外周面に達するスリットが設けられていることを特徴とする請求項１又は２記載の棒状化粧料支持体。
【請求項４】
請求項１〜３の何れか一項に記載の棒状化粧料支持体を備えた棒状化粧料繰出容器であって、
前記棒状化粧料及び前記基部の進退を可能とする棒状化粧料孔の周面に前記支持片の進退を可能とする一対の支持片溝を連設して成る進退孔を具備した先筒と、
この先筒の後端側に回転自在に連結された操作筒と、を具備し、
前記先筒と前記操作筒の相対回転による螺合機構の動作に従い前記棒状化粧料支持体が前記進退孔で進退され前記支持片に把持された前記棒状化粧料が前記先筒の先端から出没することを特徴とする棒状化粧料繰出容器。
【発明の詳細な説明】
【技術分野】
【０００１】
本発明は、横断面略楕円形状の棒状化粧料を把持する支持片を備えた棒状化粧料支持体及びこれを具備する棒状化粧料繰出容器に関する。
【背景技術】
【０００２】
従来、横断面略楕円形状を成す棒状化粧料の繰出容器として、横断面略楕円形状の棒状化粧料に外形が略合致し当該棒状化粧料の後端面が突き当てられる基部及び当該基部の外周面において対向して一対配設されて前方へ突出し棒状化粧料の後端部の短軸に係る外周面を把持する支持片（把持片）を有する棒状化粧料支持体（チャック部）と、棒状化粧料及び基部の進退を可能とする横断面略楕円形状の棒状化粧料孔（芯出孔部）の周面に支持片の進退を可能とする支持片溝（ガイド溝部）を連設して成る進退孔（芯出ガイド孔）を有する先筒（テーパ容器）と、この先筒の後端側に回転自在に連結された操作筒（カバー容器）と、を具備し、上記棒状化粧料の後端部の短軸に係る外周面を把持する支持片は、その内周形状が、当該棒状化粧料の短軸に係る外周面に略合致する形状とされていて、先筒と操作筒の相対回転による螺合機構の動作に従い棒状化粧料支持体が進退孔で進退され支持片に把持された棒状化粧料が先筒の先端から出没する棒状化粧料繰出容器が知られている（例えば、特許文献１参照）。
【特許文献１】特開２００４−９７５４９号公報
【発明の開示】
【発明が解決しようとする課題】
【０００３】
しかしながら、上記棒状化粧料支持体にあって、支持片同士の間に横断面略楕円形状の棒状化粧料を嵌挿して把持させる場合、当該棒状化粧料が支持片同士の間で回り易くズレ易く斜めに把持される傾向があり把持強度が不安定となって、その結果、例えば棒状化粧料繰出容器の落下等による衝撃や振動等の外力作用時に棒状化粧料が支持片から抜けてしまう虞や棒状化粧料が折れてしまう虞がある。
【０００４】
本発明は、このような課題を解決するために成されたものであり、例えば落下等による衝撃や振動等の外力作用時に、棒状化粧料の支持片からの抜け及び棒状化粧料の折れが防止される棒状化粧料支持体及びこれを備えた棒状化粧料繰出容器を提供することを目的とする。
【課題を解決するための手段】
【０００５】
ここで、本発明者らは鋭意研究を重ねた結果、支持片同士の間で横断面略楕円形状の棒状化粧料が回り易くズレ易く斜めに把持されるのは、棒状化粧料に対する支持片による案内性・拘束性が低いことが原因であり、この案内性・拘束性が低いのは、棒状化粧料の曲率の小さい部分を把持部分としていることを見出し、支持片が、横断面略楕円形状の棒状化粧料のその短軸に係る外周面に比して曲率の大きい長軸に係る外周面を把持するようにすれば案内性・拘束性が高められることを見出した。
【０００６】
そこで、本発明による棒状化粧料支持体は、互いに対向して設けられて前方に突出する一対の支持片と、これらの支持片の後端部を支持する基部と、を有し、支持片同士の間に、横断面略楕円形状の棒状化粧料の後端部を把持する棒状化粧料支持体において、支持片は、横断面略楕円形状の棒状化粧料のその短軸に係る外周面に比して曲率の大きい長軸に係る外周面を支持するものであり、当該支持片の内周形状は、棒状化粧料の長軸に係る外周面に略合致する形状とされていることを特徴としている。
【０００７】
このような棒状化粧料支持体によれば、対向する一対の支持片により、横断面略楕円形状を成す棒状化粧料の後端部のその長軸側の外周面が把持されると共に、支持片の内周形状が、当該把持する棒状化粧料の長軸側の外周面に略合致する形状とされているため、把持部分の曲率が従来の短軸側を把持する場合の曲率に比して大きく、棒状化粧料に対する案内性・拘束性が高められ、棒状化粧料を支持片同士の間に嵌挿する際に回り難くズレ難く、棒状化粧料が支持片同士の間にほぼ真っ直ぐに把持され把持強度が安定して確保される。このため、例えば落下等による衝撃や振動等の外力作用時に棒状化粧料の支持片からの抜け及び棒状化粧料の折れが防止される。
【０００８】
ここで、支持片は、短軸方向において、支持片同士の間に把持される棒状化粧料の短軸位置の外形より内側に位置する構成であると、棒状化粧料及び基部の進退を可能とする棒状化粧料孔の周面に支持片の進退を可能とする一対の支持片溝を連設して成る進退孔を具備した容器にあって、支持片溝を必要以上に大きくすること無く、進退孔における支持片溝を除く所定長の内周面が棒状化粧料に近接可能とされて当該近接部分により棒状化粧料のブレが良好に支えられるため、容器のコンパクト化を図りつつ、例えば落下等による衝撃や振動等の外力作用時に当該棒状化粧料の折れを一層防止することが可能とされる。
【０００９】
また、基部には、その先端面の支持片同士の間の位置に、軸線方向に所定長へこむと共に両端が当該基部の外周面に達するスリットが設けられていると、当該スリットにより、支持片に径方向の弾力性が付与され、棒状化粧料は支持片に一層馴染むように柔らかく把持される。このため、例えば落下等による衝撃や振動等の外力作用時に、当該外力が緩衝され棒状化粧料の抜け及び折れが一層防止される。
【００１０】
また、上記作用を好適に奏する棒状化粧料繰出容器としては、棒状化粧料及び基部の進退を可能とする棒状化粧料孔の周面に支持片の進退を可能とする一対の支持片溝を連設して成る進退孔を具備した先筒と、この先筒の後端側に回転自在に連結された操作筒と、を具備し、先筒と操作筒の相対回転による螺合機構の動作に従い棒状化粧料支持体が進退孔で進退され支持片に把持された棒状化粧料が先筒の先端から出没する構成が挙げられる。
【発明の効果】
【００１１】
このように本発明によれば、横断面略楕円形状の棒状化粧料が支持片同士の間にほぼ真っ直ぐに把持されて把持強度が安定して確保されるため、例えば落下等による衝撃や振動等の外力作用時に当該棒状化粧料の支持片からの抜け及び棒状化粧料の折れを防止することが可能となる。
【発明を実施するための最良の形態】
【００１２】
以下、本発明による棒状化粧料支持体を備えた棒状化粧料繰出容器の好適な実施形態について図１〜図６を参照しながら説明する。なお、各図において、同一の要素には同一の符号を付し、重複する説明は省略する。
【００１３】
図１は、棒状化粧料繰出容器を示す斜視図、図２及び図３は、棒状化粧料繰出容器を構成する棒状化粧料カートリッジの各図、図４及び図５は、棒状化粧料支持体を示す各斜視図、図６は図３のVI−VI矢視図であり、ここで用いられる棒状化粧料は、例えば、アイライナー、アイブロー、リップライナー等を始めとした種々の固形状の棒状化粧料であって、横断面略楕円形状の棒状化粧料である。
【００１４】
図１に示すように、棒状化粧料繰出容器１００は、全体形状が筆記具の如き細長い丸棒状（スティック状）を成し良好な外観を呈するもので、図３に示すように、横断面略楕円形状の棒状化粧料Ｍ（図６参照）を収容する棒状化粧料カートリッジ１を、図１に示すように、カートリッジ収容容器２の一方端側（図示左側）に着脱可能に備え、棒状化粧料カートリッジ１の外形を構成するカートリッジ筒３を棒状化粧料繰出容器１００の先筒とし、カートリッジ収容容器２を棒状化粧料繰出容器１００の操作筒として、これらを使用者が相対回転すると、棒状化粧料Ｍがカートリッジ筒３の先端から出没するものである。
【００１５】
カートリッジ収容容器２は、円筒形状を成すと共にその後端側（図示右端側）が蓋部２ａにより塞がれることで有底円筒状を呈し、その内部が棒状化粧料カートリッジ１の後半部を収容する空間とされている。このカートリッジ収容容器２の先端側（開放側）の内周面には、棒状化粧料カートリッジ１を回転自在に軸線方向に係止するための環状溝（不図示）が設けられている。また、カートリッジ収容容器２の蓋部２ａの内側には、棒状化粧料カートリッジ１を構成する後述の螺子筒５を回転方向に係合するための横断面略十字状の係合部（不図示）が設けられている。
【００１６】
一方、棒状化粧料カートリッジ１は概略、図２及び図３に示すように、段付き円筒形状を成すカートリッジ筒３を外形構成として具備し、このカートリッジ筒３内に、図３に示すように、棒状化粧料Ｍと、これを支持する棒状化粧料支持体４と、螺合機構を構成する螺子筒５と、を収容する。
【００１７】
カートリッジ筒３は、例えば合成樹脂等の可撓性材で形成され、カートリッジ収容容器２から突出する前半側の摘み部としての外径大径部と、この外径大径部の後端に段差面３ｉを介して連設される後半側の外径小径部と、を備えている。外径大径部は、その外径が先端に向けて徐々に細くなる円筒形状を呈し、外径小径部は、カートリッジ収容容器２の内径より小とされて挿入可能とされている。
【００１８】
カートリッジ筒３の軸線方向に貫通する筒孔は、先端から軸線方向中央辺り迄が、横断面略楕円形状の棒状化粧料Ｍを収容し摺動を可能とする横断面略楕円形状の棒状化粧料孔３ａとされ、この棒状化粧料孔３ａの終端の拡大する段差面からカートリッジ筒３の後端迄が、棒状化粧料孔３ａより大径を成して螺子筒５を収容する円形形状の孔とされている。
【００１９】
このカートリッジ筒３には、棒状化粧料孔３ａの先端近傍から当該棒状化粧料孔３ａの後端に亘って当該棒状化粧料孔３ａの周面の二箇所に、図３及び図６に示すように、支持片溝３ｂが連設されている。この支持片溝３ｂは、棒状化粧料支持体４の後述する支持片４ｂを収容し摺動を可能とするもので、図６に示すように、横断面略楕円形状の棒状化粧料孔３ａの長軸（軸心を含む図示上下方向軸）に係る位置に連設されている。そして、これらの棒状化粧料孔３ａ及び支持片溝３ｂにより、棒状化粧料Ｍ及び支持片４ｂが摺動する進退孔３ｃが構成されている。
【００２０】
また、カートリッジ筒３には、図２及び図３に示すように、外径小径部で軸線を挟む１８０°対称位置に、弾性係合部３ｄ，３ｄが各々設けられている。この弾性係合部３ｄは、カートリッジ収容容器２との間に良好な回転抵抗を与えると共にカートリッジ収容容器２に対して軸線方向に着脱可能に係止するためのもので、図２に示すように、カートリッジ筒３の外径小径部の周壁に穿設されるコの字状割溝３ｅにより形成され、成形材である合成樹脂等の可撓性に従って板バネの役割を果たす半島部３ｆと、この半島部３ｆの外周面から突出する係止突部３ｇと、を備えている。また、図３に示すように、カートリッジ筒３の後端部の内周面には、螺子筒５を軸線方向に係合するための環状溝３ｈが設けられている。
【００２１】
螺子筒５は、略円筒形状を成し、例えば合成樹脂等の可撓性材で形成されている。この螺子筒５には、内周面の先端から後端部の近傍に亘って、螺合機構を構成する雌螺子５ａが設けられていると共に、その後端部に、半径方向（放射方向）に弾力的に押し開き可能な弾性突部５ｂが後方へ突出するように設けられている。この弾性突部５ｂは、カートリッジ収容容器２の蓋部２ａに設けられた横断面略十字状の係合部に回転方向に係合するためのもので、周方向に沿う四等配の位置に配設される四片の突部である。また、螺子筒５の外周面におけるカートリッジ筒３の弾性係合部３ｄに対応する位置には、半島部３ｆが内側に撓んだ時の逃げとなる環状溝５ｃが設けられていると共に、螺子筒５の後端部の外周面には、カートリッジ筒３の環状溝３ｈに軸線方向に係合するための環状突部５ｄが設けられている。
【００２２】
この螺子筒５は、その先端側からカートリッジ筒３に内挿され、その環状突部５ｄが、カートリッジ筒３の環状溝３ｈに係合することで、カートリッジ筒３に回転自在且つ軸線方向移動不能に連結されている。
【００２３】
棒状化粧料支持体４は、例えば合成樹脂等の可撓性材で形成され、図３〜図５に示すように、棒状化粧料Ｍの後端面を突き当てるための基部４ａと、この基部４ａに突き当てられた棒状化粧料Ｍの後端部を把持するための一対の支持片４ｂと、を一体に備えている。
【００２４】
基部４ａは、横断面略楕円形状の棒状化粧料Ｍに略合致する横断面略楕円形状の略楕円柱に構成されている。
【００２５】
支持片４ｂは、図３〜図６に示すように、横断面略楕円形状の基部４ａの長軸に係る外周面において前方に突出するように設けられている。この支持片４ｂは、図６に示すように、その内周面が棒状化粧料Ｍの長軸（軸心を含む図示上下方向軸）に係る外周面に略合致し支持片４ｂ，４ｂ同士の間に棒状化粧料Ｍを把持する。この棒状化粧料Ｍの把持に関しては後述する。この支持片４ｂは、その側面（図示左右面）同士が互いに平行を成すと共にその外面が大きいＲの円弧面とされ、短軸方向（図示左右方向）において、基部４ａの短軸位置の外形、すなわち、棒状化粧料Ｍの短軸位置の外形より内側に位置する（棒状化粧料Ｍの短軸位置の外形より短軸方向において外側にでない）ように構成されている。
【００２６】
なお、支持片４ｂの各々の内面には、図５及び図６に示すように、軸線方向に延びる突条４ｅが設けられている。この突条４ｅは、嵌挿される棒状化粧料Ｍの外周面にめり込んで棒状化粧料Ｍとの接触面積を増大し摩擦抵抗を増大すると共に棒状化粧料Ｍの回転を阻止するためのものである。
【００２７】
また、基部４ａは、図３〜図５に示すように、後方側へ向かって延在すると共に当該延在部分が小径の横断面円形形状を成す軸体とされ、この軸体の後端部に、螺合機構を構成する雄螺子としての螺合突起４ｃを備えている。
【００２８】
さらに、基部４ａには、その先端面４ｆの支持片４ｂ，４ｂ同士の間の位置、すなわち短軸位置に、軸線方向に所定長へこむと共に両端が当該基部４ａの外周面に達するスリット４ｄが設けられている。このスリット４ｄは、支持片４ｂの径方向（図６における上下方向；支持片４ｂの厚み方向）の弾力性を高めるためのものである。
【００２９】
このような構成を有する棒状化粧料支持体４は、図３及び図６に示すように、その基部４ａがカートリッジ筒３の棒状化粧料孔３ａに進入すると共にその支持片４ｂがカートリッジ筒３の支持片溝３ｂに進入するようにして、進退孔３ｃに内挿されていると共に、図３に示すように、その基部４ａの後方への延在部分が螺子筒５に内挿され螺合突起４ｃが螺子筒５の雌螺子５ａに係合する螺合状態とされている。なお、進退孔３ｃを構成する支持片溝３ｂの先端面が、支持片４ｂの先端面が突き当たる棒状化粧料支持体４の前進限とされている。
【００３０】
そして、図６に示すように、カートリッジ筒３の進退孔３ｃは、当該進退孔３ｃを構成する棒状化粧料孔３ａが棒状化粧料Ｍ及び基部４ａの外周面に近接すると共に、当該進退孔３ｃを構成する支持片溝３ｂが支持片４ｂの外周面に近接する構成とされている。
【００３１】
ここで、上記棒状化粧料Ｍを組み付ける際にあっては、棒状化粧料Ｍは、その後端側からカートリッジ筒３の棒状化粧料孔３ａに挿入され、進退孔３ｃに収容されている支持片４ｂ，４ｂ同士の間に嵌挿されながら基部４ａに突き当てられる。
【００３２】
この時、支持片４ｂ，４ｂにより、横断面略楕円形状を成す棒状化粧料Ｍの後端部のその長軸側の外周面が把持されると共に、この支持片４ｂの内周形状が、当該把持する棒状化粧料Ｍの長軸側の外周面に略合致する形状とされているため、把持部分の曲率は従来の短軸側を把持する場合の曲率に比して大きく、棒状化粧料Ｍに対する案内性・拘束性が高められている。このため、棒状化粧料Ｍは、支持片４ｂ，４ｂ同士の間で回り難くズレ難く、支持片４ｂ，４ｂ同士の間にほぼ真っ直ぐに把持され、棒状化粧料Ｍの把持強度が安定して確保されている。
【００３３】
このように構成された図２に示す棒状化粧料カートリッジ１は、その後端側からカートリッジ収容容器２に内挿され、そのカートリッジ筒３の段差面３ｉがカートリッジ収容容器２の先端面に突き当てられ、板バネを成す半島部３ｆの係止突部３ｇがカートリッジ収容容器２の環状溝に係合することで、カートリッジ収容容器２に回転自在且つ着脱可能（使用者により所定の力で引き抜かれる以外はカートリッジ収容容器２に対して軸線方向移動不能）に装着されている。
【００３４】
この棒状化粧料カートリッジ１がカートリッジ収容容器２に装着されている状態にあっては、棒状化粧料カートリッジ１を構成する螺子筒５の弾性突部５ｂ，５ｂ間に、カートリッジ収容容器２の蓋部２ａの横断面略十字状を成す係合部が進入するようにして係合し、螺子筒５とカートリッジ収容容器２とは回転不能に連結されている。すなわち、カートリッジ筒３は、カートリッジ収容容器２及び螺子筒５に対して回転自在に連結されている。
【００３５】
このように構成された棒状化粧料繰出容器１００では、カートリッジ収容容器２と棒状化粧料カートリッジ１のカートリッジ筒３におけるカートリッジ収容容器２からの突出部分とを持って相対回転すると、螺子筒５の雌螺子５ａと棒状化粧料支持体４の螺合突起４ｃで構成される螺合機構、棒状化粧料支持体４の支持片４ｂとカートリッジ筒３の支持片溝３ｂで構成される回り止め機構に従い、棒状化粧料支持体４が進退し、棒状化粧料Ｍがカートリッジ筒３の先端から出没し塗布が可能とされる。
【００３６】
そして、特に本実施形態の棒状化粧料繰出容器１００によれば、例えば、当該棒状化粧料繰出容器１００又は棒状化粧料カートリッジ１を落とす等して衝撃や振動等の外力が作用しても、前述したように、支持片４ｂにより、棒状化粧料Ｍが回り難くズレ難く支持片４ｂ，４ｂ同士の間にほぼ真っ直ぐに把持され棒状化粧料Ｍの把持強度が安定して確保されているため、棒状化粧料Ｍの支持片４ｂからの抜け及び棒状化粧料Ｍの折れが防止されている。
【００３７】
また、支持片４ｂが、短軸方向において、棒状化粧料Ｍの短軸位置の外形より内側に位置する構成とされているため、支持片溝３ｂを必要以上に大きくすること無く、進退孔３ｃにおける支持片溝３ｂを除く所定長の内周面ｘ（図６参照）が棒状化粧料Ｍに近接されて当該近接部分により棒状化粧料Ｍのブレが良好に支えられる。このため、容器のコンパクト化を図りつつ、上記のような外力作用時の当該棒状化粧料Ｍの折れが一層防止されている。
【００３８】
また、棒状化粧料支持体４に設けられたスリット４ｄにより、支持片４ｂに径方向の弾力性が付与され、棒状化粧料Ｍは支持片４ｂに一層馴染むように柔らかく把持されている。このため、上記のような外力作用時に、当該外力が緩衝され棒状化粧料Ｍの抜け及び折れが一層防止されている。
【００３９】
以上、本発明をその実施形態に基づき具体的に説明したが、本発明は上記実施形態に限定されるものではなく、例えば、上記実施形態においては、螺合機構を、棒状化粧料支持体４の螺合突起４ｃ及び螺子筒５の雌螺子５ａにより構成しているが、螺合機構は、螺旋状部、又は、間欠的に配される突起群、又は、螺旋状且つ間欠的に配される突起群等、螺子山と同様な働きをするものであれば良い。
【００４０】
なお、本発明は、例えば実開昭６０−３３９２０号公報に記載のようなカートリッジタイプではない棒状化粧料繰出容器に対しても適用可能であり、また、例えば特開平１１−７５９３４号公報に記載のような、先筒と、この先筒の後端側に回転可能に連結される（実際には中筒を介して回転可能に連結される）操作筒と、を備え、先筒には、棒状化粧料を支持する支持片を収容すると共に支持片を進退可能とする進退孔が設けられ、操作筒には、その内周側に軸線方向に延在する雌螺子が設けられると共に、支持片を備える支持棒のその後側に配設される押棒が収容され、この押棒の後端部に設けられた突部が、操作筒の内周側の雌螺子に螺合して螺合機構を構成し、先筒と操作筒とを相対回転すると、螺合機構の動作に従い押棒が進退し、前進する押棒に支持棒が押されて棒状化粧料が先筒の先端から突出する一方で、先筒と操作筒とを逆方向に相対回転すると、螺合機構の動作に従い押棒が後退し支持棒に係止された戻しバネの作用で当該支持棒が先筒内の元の位置迄引き戻されて棒状化粧料が先筒の先端から没入し、加えて、先筒を操作筒から抜脱すると、戻しバネの作用で支持棒が先筒内の元の位置迄引き戻されて棒状化粧料が先筒の先端から没入する構成の棒状化粧料繰出容器に対しても適用可能であり、さらには、例えば特開２００４−９７５４９号公報に記載のような、後半部にスリットパイプを備える先筒と、先筒のスリットパイプ部分を収容し当該先筒に回転可能に連結される操作筒と、を備え、先筒には、棒状化粧料を支持する支持片を収容すると共に支持片を進退可能とする進退孔が設けられ、支持片を備える支持棒の後端部に設けられた突部が、スリットパイプのスリットを通して外方に突出し、この突部が、操作筒の内周側に形成され軸線方向に延在する雌螺子や螺旋溝等の螺子部に螺合して螺合機構を構成し、先筒と操作筒とを相対回転すると、螺合機構の動作に従い支持棒が進退し棒状化粧料が先筒の先端から出没する構成の棒状化粧料繰出容器に対しても適用可能であり、要は、互いに対向して設けられて前方に突出する一対の支持片と、これらの支持片の後端部を支持する基部と、を有し、支持片同士の間に、横断面略楕円形状の棒状化粧料の後端部を把持する棒状化粧料支持体、このような棒状化粧料支持体を備える棒状化粧料繰出容器全てに対して適用可能である。
【図面の簡単な説明】
【００４１】
【図１】本発明の実施形態に係る棒状化粧料支持体を備えた棒状化粧料繰出容器を示す斜視図である。
【図２】図１に示す棒状化粧料繰出容器を構成する棒状化粧料カートリッジの斜視図である。
【図３】図２に示す棒状化粧料カートリッジの縦断面図である。
【図４】図３中の棒状化粧料及び棒状化粧料支持体を示す斜視図である。
【図５】図３及び図４中の棒状化粧料支持体を示す斜視図である。
【図６】図３のVI−VI矢視図である。
【符号の説明】
【００４２】
１…棒状化粧料カートリッジ、２…カートリッジ収容容器（操作筒）、３…カートリッジ筒（先筒）、３ａ…棒状化粧料孔、３ｂ…支持片溝、３ｃ…進退孔、４…棒状化粧料支持体、４ａ…基部、４ｂ…支持片、４ｃ…棒状化粧料支持体の螺合突起（螺合機構）、４ｄ…スリット、４ｆ…基部の先端面、５ａ…螺子筒の雌螺子（螺合機構）、１００…棒状化粧料繰出容器、Ｍ…棒状化粧料。
【図１】
2006192196.tif 000003
【図２】
2006192196.tif 000004
【図３】
2006192196.tif 000005
【図４】
2006192196.tif 000006
【図５】
2006192196.tif 000007
【図６】
2006192196.tif 000008